(57)【要約】【課題】本体にアンテナが接続されていない状態においても現在放送されているＴＶ番組のような放送データを再生可能な情報処理装置を実現する。【解決手段】アンテナ端子１８にアンテナ４０１が接続されている場合には、内部ＴＶチューナ１１１が優先的に使用され、内部ＴＶチューナ１１１によって受信された放送データが再生される。一方、アンテナ端子１８にアンテナ４０１が接続されていない場合には、外部ＴＶチューナとして機能するセットトップボックス２０との通信がネットワークコントローラ１１３によって実行され、セットトップボックス２０から送信される放送データが再生される。よって、アンテナが接続されていない状態においても現在放送されているＴＶ番組のような放送データを再生することができる。【選択図】      図４
2005184645.tif 000002
【特許請求の範囲】
【請求項１】
本体と、
前記本体に設けられ、アンテナが取り外し可能に接続されるアンテナ端子と、
前記本体内に設けられると共に、前記アンテナ端子に接続され、放送データを受信する内部受信装置と、
前記本体内に設けられ、前記放送データを受信する外部受信装置との通信を実行する通信装置と、
前記アンテナ端子に前記アンテナが接続されているか否かを判別する手段と、
前記判別結果に応じて、前記内部受信装置および前記外部受信装置の一方を選択する手段と、
前記選択された前記内部受信装置および前記外部受信装置の一方から送信される放送データを再生する手段とを具備することを特徴とする情報処理装置。
【請求項２】
前記内部受信装置および前記外部受信装置の一方を選択する手段は、前記アンテナ端子に前記アンテナが接続されていないことが判別された場合、前記内部受信装置を選択する手段と、前記アンテナ端子に前記アンテナが接続されていることが判別された場合、前記外部受信装置から送信される放送データの転送レートを検出する手段と、前記検出された転送レートに応じて、前記内部受信装置および前記外部受信装置の一方を選択する手段とを含むことを特徴とする請求項１記載の情報処理装置。
【請求項３】
前記通信装置は、ネットワークを介して前記外部受信装置との通信を実行するネットワーク通信装置を含むことを特徴とする請求項１記載の情報処理装置。
【請求項４】
前記通信装置は、前記外部受信装置との無線通信を実行する無線通信装置を含むことを特徴とする請求項１記載の情報処理装置。
【請求項５】
前記通信装置は、前記外部受信装置との無線通信を実行する無線通信装置を含み、
前記内部受信装置および前記外部受信装置の一方を選択する手段は、前記アンテナ端子に前記アンテナが接続されていないことが判別された場合、前記内部受信装置を選択する手段と、前記アンテナ端子に前記アンテナが接続されていることが判別された場合、前記外部受信装置から無線信号によって送信される放送データの転送レートを検出する手段と、前記検出された転送レートが所定の転送レート以上である場合には前記外部受信装置を選択し、前記検出された転送レートが前記所定の転送レートよりも低い場合には前記内部受信装置を選択する選択する手段とを含むことを特徴とする請求項１記載の情報処理装置。
【請求項６】
本体と、
前記本体に設けられ、アンテナが取り外し可能に接続されるアンテナ端子と、
前記本体に対して回動自在に取り付けられた表示装置と、
前記本体内に設けられると共に、前記アンテナ端子に接続され、放送データを受信する内部受信装置と、
前記本体内に設けられ、放送データを受信する外部受信装置との無線通信を実行する無線通信装置と、
前記アンテナ端子に前記アンテナが接続されているか否かを判別する手段と、
前記アンテナ端子に前記アンテナが接続されていないことが判別された場合、前記無線通信装置によって前記外部受信装置との無線通信を実行することによって、前記外部受信装置から送信される放送データを受信する手段と、
前記受信された前記外部受信装置から送信される放送データを前記表示装置に表示する手段とを具備することを特徴とする情報処理装置。
【請求項７】
前記内部受信装置に前記アンテナが接続されていることが判別された場合、前記無線通信装置によって前記外部受信装置との無線通信を実行することによって、前記外部受信装置から送信される放送データの転送レートを検出する手段と、
前記検出された転送レートに応じて、前記内部受信装置からの放送データおよび前記外部受信装置からの放送データの一方を選択する手段とをさらに具備することを特徴とする請求項６記載の情報処理装置。
【発明の詳細な説明】
【技術分野】
【０００１】
本発明は放送データを受信する受信装置を備えた情報処理装置に関する。
【背景技術】
【０００２】
一般に、テレビジョン（ＴＶ）装置においては、再生すべきビデオソースを切り替えるための入力切替え機能が設けられている。この入力切り替え機能は、ユーザによるリモコン操作に応じて、ビデオレコーダのような再生装置と、ＴＶチューナとの間でビデオソースの切り替えを行う。
【０００３】
またＴＶチューナと再生装置との間でビデオソースを自動的に切り替える機能を有する信号切替え装置も知られている（例えば、特許文献１参照。）。この信号切替え装置においては、ＴＶチューナを介して入力される受信信号の信号レベルが低下した時に、ビデオソースがＴＶチューナから再生装置に切替えられる。
【特許文献１】特開２００３−１１０９５１号公報
【発明の開示】
【発明が解決しようとする課題】
【０００４】
ところで、最近では、パーソナルコンピュータのような情報処理装置においても、ＴＶチューナの搭載が進められている。現在放送されているＴＶ番組のような放送データをパーソナルコンピュータを用いて視聴するためには、アンテナケーブルを介してＴＶアンテナをパーソナルコンピュータに接続することが必要となる。このため、パーソナルコンピュータを使用する場所が大きく制約されることになる。特に、ノートブックタイプのパーソナルコンピュータのような携帯型コンピュータにおいては、その可搬性が著しく損なわれることになる。
【０００５】
本発明は上述の事情を考慮してなされたものであり、アンテナが接続されていない状態においても現在放送されているＴＶ番組のような放送データを再生することが可能な情報処理装置を提供することを目的とする。
【課題を解決するための手段】
【０００６】
上述の課題を解決するため、本発明の情報処理装置は、本体と、前記本体に設けられ、アンテナが取り外し可能に接続されるアンテナ端子と、前記本体内に設けられると共に、前記アンテナ端子に接続され、放送データを受信する内部受信装置と、前記本体内に設けられ、前記放送データを受信する外部受信装置との通信を実行する通信装置と、前記アンテナ端子に前記アンテナが接続されているか否かを判別する手段と、前記判別結果に応じて、前記内部受信装置および前記外部受信装置の一方を選択する手段と、前記選択された前記内部受信装置および前記外部受信装置の一方から送信される放送データを再生する手段とを具備することを特徴とする。
【０００７】
この情報装置においては、アンテナ端子にアンテナが接続されているか否かに応じて、内部受信装置および外部受信装置の一方が自動的に選択される。これにより、本体のアンテナ端子にアンテナが接続されていない場合には、通信装置によって外部受信装置との通信を実行することにより、外部受信装置からの放送データを再生することができる。
【発明の効果】
【０００８】
本発明によれば、情報処理装置の本体にアンテナが接続されていない状態においても現在放送されているＴＶ番組のような放送データを再生することが可能となる。
【発明を実施するための最良の形態】
【０００９】
以下、図面を参照して、本発明の実施形態を説明する。  
まず、図１および図２を参照して、本発明の一実施形態に係る情報処理装置の構成について説明する。この情報処理装置は、例えばノートブック型パーソナルコンピュータのようなバッテリ駆動可能な携帯型パーソナルコンピュータ１０として実現されている。
【００１０】
図１は携帯型パーソナルコンピュータのディスプレイユニットを開いた状態における正面図である。本コンピュータ１０は、コンピュータ本体１１と、ディスプレイユニット１２とから構成されている。ディスプレイユニット１２には、ＬＣＤ（Liquid Crystal Display）１２１から構成される表示装置が組み込まれており、そのＬＣＤ１２１の表示画面はディスプレイユニット１２のほぼ中央に位置されている。
【００１１】
ディスプレイユニット１２は、コンピュータ本体１１に対してコンピュータ本体１１の上面を覆う開放位置とコンピュータ本体１１の上面が露出される閉塞位置との間を回動自在に取り付けられている。コンピュータ本体１１は薄い箱形の筐体を有しており、その上面にはキーボード１３、本コンピュータ１を電源オン／オフするためのパワーボタン１４、各種操作ボタンを含む入力操作パネル１５、およびタッチパッド１６などが配置されている。
【００１２】
タッチパッド１６は、ＬＣＤ１２１の表示画面上の位置を指示するポインティングデバイスである。タッチパッド１６の操作に応じて、マウスカーソル（マウスポインタとも云う）は表示画面上を移動する。
【００１３】
コンピュータ本体１１にはネットワークコントローラが内蔵されている。ネットワークコントローラは、コンピュータ１０を有線または無線のネットワーク１００に接続するための通信装置である。コンピュータ１０は、ネットワークコントローラを用いることにより、有線または無線のネットワーク１００を介して外部機器との通信を実行することが出来る。ネットワーク１００は、例えば、無線ＬＡＮまたは有線ＬＡＮから構成されている。
【００１４】
ネットワーク１００上には、外部ＴＶチューナとして機能するセットトップボックス２０が接続されている。セットトップボックス２０は、アンテナケーブルを介してＴＶアンテナに接続されている。セットトップボックス２０には、現在放送中のＴＶ番組のような放送データを受信するＴＶチューナが内蔵されている。このセットトップボックス２０は、受信した放送データをネットワーク１００を介してクライアントに配信する機能を有している。コンピュータ１０は、ネットワーク１００を介してセットトップボックス２０との通信を実行することにより、現在放送中の放送データをセットトップボックス２０から受信することが出来る。
【００１５】
さらに、コンピュータ本体１１には内部ＴＶチューナも内蔵されている。内部ＴＶチューナは、セットトップボックス２０と同様に、現在放送中のＴＶ番組のような放送データを受信する。コンピュータ１０は、セットトップボックス２０および内部ＴＶチューナのどちらを使用しても、同一のＴＶ番組を受信することができる。
【００１６】
図２は、本コンピュータ１０の背面図である。  
図２に示されているように、コンピュータ本体１１の背面１７には、アンテナケーブルが取り外し自在に接続可能なアンテナ端子１８が設けられている。さらに、コンピュータ本体１１の背面１７には、コンピュータ本体１１を拡張ユニットに接続するためのコネクタ１９が配置されている。拡張ユニットは本コンピュータ１０の機能を拡張するためのユニットであり、コンピュータ本体１１が取り外し自在に装着できるように構成されている。
【００１７】
本コンピュータ１０においては、アンテナ端子１８にアンテナケーブルを介してＴＶアンテナが接続されているか否かに応じて、内部ＴＶチューナおよび外部チューナ（セットトップボックス２０）の一方が自動的に選択的される。
【００１８】
すなわち、本コンピュータ１０においては、アンテナ端子１８にＴＶアンテナが接続されている場合は内部ＴＶチューナが選択され、その内部ＴＶチューナからの放送データが再生される。一方、アンテナ端子１８にＴＶアンテナが接続されていない場合は、セットトップボックス２０が選択される。この場合、セットトップボックス２０との通信が自動的に実行され、セットトップボックス２０から送信される放送データが再生される。
【００１９】
なお、セットトップボックス２０のみならず、拡張ユニットを外部チューナとして使用することもできる。
【００２０】
図３には、コンピュータ本体１１を拡張ユニット３０に装着した様子が示されている。図３に示されているように、コンピュータ本体１１を拡張ユニット３０に装着した状態においては、コンピュータ本体１１の背面が拡張ユニット３０によって覆われる。このため、アンテナ端子１８にＴＶアンテナを接続することはできないものの、コンピュータ１０は、拡張ユニット３０に内蔵された外部ＴＶチューナ３１から放送データを受信することが出来る。拡張ユニット３０の背面には、アンテナケーブルを介してＴＶアンテナが接続されている。以下では、セットトップボックス２０を外部ＴＶチューナとして使用する場合を想定する。
【００２１】
図４には、本コンピュータ１０のシステム構成の第１の例が示されている。  
本コンピュータ１０には、図４に示されているように、ＣＰＵ１０１、ホストコントローラ１０２、メインメモリ１０３、表示コントローラ１０４、ビデオメモリ（ＶＲＡＭ）１０５、Ｉ／Ｏコントローラ１０６、ハードディスクドライブ（ＨＤＤ）１０７、内部ＴＶチューナ１１１、第１のストリームコントローラ１１２、ネットワークコントローラ１１３、第２のストリームコントローラ１１４、セレクタ１１５、検出器１１６、および選択信号発生器１１７等が設けられている。
【００２２】
ＣＰＵ１０１は本コンピュータ１０の動作を制御するために設けられたプロセッサであり、ハードディスクドライブ（ＨＤＤ）１０７からメインメモリ１０３にロードされる、オペレーティングシステム（ＯＳ）および各種アプリケーションプログラムを実行する。本コンピュータ１０においては、アプリケーションプログラムの一つとして、ＴＶ再生制御プログラムが予めインストールされている。このＴＶ再生制御プログラムは、内部ＴＶチューナ１１１または外部ＴＶチューナを用いて、ＴＶ番組のような放送データを再生するプログラムである。
【００２３】
ホストコントローラ１０２はＣＰＵ１０１のローカルバスとＩ／Ｏコントローラ１０６との間を接続するブリッジデバイスである。ホストコントローラ１０２には、メインメモリ１０３をアクセス制御するメモリコントローラが内蔵されている。表示コントローラ１０４は本コンピュータ１０のディスプレイモニタとして使用されるＬＣＤ１２１を制御する。表示コントローラ１０４はビデオメモリ（ＶＲＡＭ）１０５を有しており、ＯＳ／アプリケーションプログラムによってビデオメモリ１０５に描画されたグラフィクスデータをＬＣＤ１２１に表示する。また、ＴＶ再生制御プログラムの制御の下、ビデオメモリ１０５には、内部ＴＶチューナ１１１または外部ＴＶチューナによって受信された放送データに含まれる映像データも書き込まれる。表示コントローラ１０４は、ビデオメモリ１０５から映像データをリードし、ＬＣＤ１２１に表示する。
【００２４】
Ｉ／Ｏコントローラ１０６には、ＨＤＤ１０７を制御するためのＩＤＥ（Integrated Drive Electronics）コントローラが内蔵されている。またＩ／Ｏコントローラ１０６は、ＰＣＩ（Peripheral Component Interconnect）バスのようなバス１上の各デバイスの制御も実行する。
【００２５】
内部ＴＶチューナ１１１は現在放送中のＴＶ番組のような放送データを受信するデバイスであり、ＴＶ再生制御プログラムからのコマンドによって指定されたチャネル番号の放送データを受信する。この内部ＴＶチューナ１１１はアンテナ端子１８に接続されている。アンテナ端子１８には、アンテナケーブルを介してＴＶアンテナ４０１を接続することが出来る。ＴＶアンテナ４０１としては、屋外に設置されたＴＶアンテナ、あるいは屋内アンテナを用いることが出来る。
【００２６】
内部ＴＶチューナ１１１によって受信されたあるチャネル番号の放送データは、第１のストリームコントローラ１１２に送られる。第１のストリームコントローラ１１２は、内部ＴＶチューナ１１１によって受信された放送データをアナログ信号からデジタル信号に変換し、そしてそのデジタル化された放送データに含まれる映像データから、例えばデジタルＹＵＶデータ（Ｒ６５６）形式のストリームデータを生成する。このストリームデータは、セレクタ１１５に送られる。
【００２７】
ネットワークコントローラ１１３は、有線または無線のネットワーク１００を介して外部デバイスとの通信を実行する通信デバイスである。ネットワークコントローラ１１３は、有線ネットワークを介して外部デバイスとの通信を実行する有線ネットワークデバイス、または無線ネットワークを介して外部デバイスとの無線通信を実行する無線ネットワークデバイスから構成されている。ネットワークコントローラ１１３が無線ネットワークデバイスから実現されている場合には、ユーザが本コンピュータ１０を家庭内のどこで使用している場合でも、本コンピュータ１０はセットトップボックス２０との通信を行うことが出来る。もちろん、有線ネットワークデバイス、および無線ネットワークデバイスの双方をコンピュータ１０に設けても良い。
【００２８】
ネットワークコントローラ１１３は、有線または無線のネットワーク１００を介してセットトップボックス２０との通信を実行することにより、セットトップボックス２０によって受信された放送データをネットワーク１００を介して受信する。ネットワークコントローラ１１３によって受信されたセットトップボックス２０からの放送データは、第２のストリームコントローラ１１４に送られる。第２のストリームコントローラ１１４は、セットトップボックス２０からの放送データに含まれる映像データから、例えばデジタルＹＵＶデータ（Ｒ６５６）形式のストリームデータを生成する。このストリームデータは、セレクタ１１５に送られる。
【００２９】
セレクタ１１５は、内部ＴＶチューナ１１１および外部ＴＶチューナ（セットトップボックス２０）の一方を選択するためのデバイスである。セレクタ１１５は、第１のストリームコントローラ１１２に双方向接続されていると共に、第２のストリームコントローラ１１４に双方向接続されている。セレクタ１１５は、選択信号発生器１１７からの選択信号ＳＥＬに応じて、第１のストリームコントローラ１１２および第２のストリームコントローラ１１４の一方を選択し、その選択した第１のストリームコントローラ１１２および第２のストリームコントローラ１１４の一方をバス１に接続する。
【００３０】
検出器１１６は、アンテナ端子１８にアンテナ４０１が接続されているか否かを判別するためのデバイスである。検出器１１６は、例えば、アンテナ端子１８へのアンテナケーブルの接続の有無によってオン／オフするメカニカルスイッチによって実現することが出来る。また、検出器１１６は、アンテナ端子１８の信号ピンの電圧に応じてアンテナ４０１が接続されているか否かを判別する電圧検出回路によって実現することも出来る。
【００３１】
選択信号発生器１１７は、検出器１１６からの検出信号に応じて、選択信号ＳＥＬを発生する。アンテナ端子１８にアンテナ４０１が接続されていることが検出器１１６によって検出されたならば、選択信号発生器１１７は、内部ＴＶチューナ１１１を選択することを指示する論理“０”の選択信号ＳＥＬを発生する。またもし、アンテナ端子１８にアンテナ４０１が接続されていないことが検出器１１６によって検出されたならば、選択信号発生器１１７は、外部ＴＶチューナ（セットトップボックス２０）を選択することを指示する論理“１”の選択信号ＳＥＬを発生する。
【００３２】
セットトップボックス２０は、ＴＶチューナ２０１およびネットワークコントローラ２０２を備えている。ＴＶチューナ２０１は現在放送中のＴＶ番組のような放送データを受信するデバイスであり、コンピュータ１１からネットワーク１００を介して送信されるコマンドによって指定されたチャネル番号の放送データを受信する。このＴＶチューナ２０１は、セットトップボックス２０にアンテナケーブルを介して接続されているＴＶアンテナ４０２に接続されている。ＴＶアンテナ４０２としては、例えば屋外アンテナを用いることが出来る。
【００３３】
ＴＶチューナ２０１によって受信されたあるチャネル番号の放送データは、ネットワークコントローラ２０２に送られる。ネットワークコントローラ２０２は、有線または無線のネットワーク１００を介して外部デバイスとの通信を実行する通信デバイスである。このネットワークコントローラ２０２も、コンピュータ１０内のネットワークコントローラ１１３と同様に、有線ネットワークデバイスまたは無線ネットワークデバイスから構成されている。ネットワークコントローラ２０２は、ＴＶチューナ２０１によって受信された放送データをネットワーク１００を介してコンピュータ１０に送信する。
【００３４】
以下では、コンピュータ１０内のネットワークコントローラ１１３、およびセットトップボックス２０のネットワークコントローラ２０２がそれぞれ無線ネットワークデバイスによって実現されており、コンピュータ１０とセットトップボックス２０との間の通信が無線信号によって実行される場合を想定する。
【００３５】
本コンピュータ１０においては、アンテナ端子１８にアンテナ４０１が接続されている場合には、セレクタ１１５は、内部ＴＶチューナ１１１を選択することを指示する論理“０”の選択信号ＳＥＬに応じて、第１のストリームコントローラ１１２をバス１に接続する。放送データの受信を指示するＴＶ再生制御プログラムからのコマンドは、セレクタ１１５、および第１のストリームコントローラ１１２を介して、内部ＴＶチューナ１１１に送られる。内部ＴＶチューナ１１１によって受信された放送データは、第１のストリームコントローラ１１２によってデジタルＹＵＶデータ形式のストリームデータに変換され、そして図４に破線で示されように、第１のストリームコントローラ１１２からセレクタ１１５を介してバス１上に出力される。そして、バス１上に出力されたストリームデータは、Ｉ／Ｏコントローラ１０６、ホストコントローラ１０２、および表示コントローラ１０４を介して、ＶＲＡＭ１０５に書き込まれる。表示コントローラ１０４は、ＶＲＡＭ１０５に格納されているストリームデータをＹＵＶデータ形式からＲＧＢデータ形式に変換して、ＬＣＤ１２１に表示する。
【００３６】
このように、アンテナ端子１８にアンテナ４０１が接続されている場合には内部ＴＶチューナ１１１が優先的に使用され、内部ＴＶチューナ１１１によって受信された放送データが再生される。
【００３７】
一方、アンテナ端子１８にアンテナ４０１が接続されていない場合には、セレクタ１１５は、外部ＴＶチューナ（セットトップボックス２０）を選択することを指示する論理“１”の選択信号ＳＥＬに応じて、第２のストリームコントローラ１１４をバス１に接続する。放送データの受信を指示するＴＶ再生制御プログラムからのコマンドは、セレクタ１１５、および第２のストリームコントローラ１１４を介してネットワークコントローラ１１３に送られる。ネットワークコントローラ１１３は、ネットワーク１００を介してセットトップボックス２０との無線通信を開始する。ネットワークコントローラ１１３は、放送データの受信を指示するコマンドをネットワーク１００を介してセットトップボックス２０に無線信号によって送信する。そして、セットトップボックス２０のＴＶチューナ２０１によって受信された放送データは、図４に一点鎖線で示されように、ネットワーク１００を介してコンピュータ１０に無線信号によって送られる。この放送データはネットワークコントローラ１１３によって受信され、そしてストリームコントローラ１１４によってデジタルＹＵＶデータ形式のストリームデータに変換される。ストリームデータは、セレクタ１１５を介してバス１上に出力される。そして、バス１上に出力されたストリームデータは、Ｉ／Ｏコントローラ１０６、ホストコントローラ１０２、および表示コントローラ１０４を介して、ＶＲＡＭ１０５に書き込まれる。表示コントローラ１０４は、ＶＲＡＭ１０５に格納されているストリームデータをＹＵＶデータ形式からＲＧＢデータ形式に変換して、ＬＣＤ１２１に表示する。
【００３８】
このように、アンテナ端子１８にアンテナ４０１が接続されていない場合には、セットトップボックス２０から無線信号によって送信される放送データを受信する処理が自動的に実行され、セットトップボックス２０によって受信された放送データがコンピュータ１０で再生される。
【００３９】
よって、コンピュータ１０の本体１１にアンテナ４０１が接続されていない状態においても、現在放送されているＴＶ番組のような放送データをセットトップボックス２０を用いて再生することが可能となる。特に、アンテナ４０１の接続の有無に応じて内部チューナ１１１およびセットトップボックス２０の一方を自動的に選択するという構成を採用しているので、ユーザは、内部チューナ１１１およびセットトップボックス２０のどちらを使用するかを意識する必要はない。さらに、コンピュータ１０とセットトップボックス２０との通信は無線信号によって実行されるので、ユーザは、コンピュータ１０を家の中のどこで使用している場合でも、現在放送されているＴＶ番組のような放送データを視聴することが出来る。
【００４０】
図５には、本コンピュータ１０のシステム構成の第２の例が示されている。
【００４１】
本第２の例においては、ＴＶ再生制御プログラムの制御の下に、内部チューナ１１１およびセットトップボックス２０の一方が自動的に選択される。すなわち、本第２の例においては、図４のセレクタ１１５および選択信号発生器１１７は設けられておらず、第１のストリームコントローラ１１２および第２のストリームコントローラ１１４はそれぞれバス１に直接接続されている。また、バス１には、ＣＰＵ１０１によってアクセス可能なレジスタ５０１が設けられている。このレジスタ５０１は、検出器１１６の検出結果を示すデータを保持する。他の点は、図４の構成と同じである。
【００４２】
以下、図６のフローチャートを参照して、ＴＶ再生制御プログラムによって実行されるＴＶ再生制御動作について説明する。  
ＴＶ再生制御プログラムが起動されると（ステップＳ１０１）、そのＴＶ再生制御プログラムの制御の下に、ＣＰＵ１０１は、以下の処理を実行する。
【００４３】
ＣＰＵ１０１は、まず、レジスタ５０１をリードすることによって、アンテナ端子１８にアンテナ４０１が接続されているか否かを判別する（ステップＳ１０２）。アンテナ端子１８にアンテナ４０１が接続されているならば、ＣＰＵ１０１は、放送データの受信を指示するコマンドを第１のストリームコントローラ１１２を介して内部ＴＶチューナ１１１に送信する（ステップＳ１０３）。次いで、ＣＰＵ１０１は、内部ＴＶチューナ１１１によって受信された放送データを第１のストリームコントローラ１１２を介して受信し（ステップＳ１０４）、それを表示コントローラ１０４を用いて再生する（ステップＳ１０５）。
【００４４】
一方、アンテナ端子１８にアンテナ４０１が接続されていないならば、ＣＰＵ１０１は、第２のストリームコントローラ１１４を介してネットワークコントローラ１１３を制御することにより、セットトップボックス２０との無線通信を開始する。そして、ＣＰＵ１０１は、放送データの受信を指示するコマンドをネットワーク１００を介してセットトップボックス２０に送信する（ステップＳ１０６）。次いで、ＣＰＵ１０１は、セットトップボックス２０から無線信号によって送信される放送データをネットワークコントローラ１１３および第２のストリームコントローラ１１４を介して受信し（ステップＳ１０７）、それを表示コントローラ１０４を用いて再生する（ステップＳ１０５）。
【００４５】
図７には、本コンピュータ１０のシステム構成の第３の例が示されている。
【００４６】
本第３の例においては、アンテナ端子１８にアンテナ４０１が接続されている場合には、セットトップボックス２０からの放送データの転送レートの値に応じて、内部ＴＶチューナ１１１とセットトップボックス２０の一方が選択される。これを実現するために、本第３の例においては、セットトップボックス２０からの放送データの転送レートの値に応じて選択信号ＳＥＬを発生するように構成された選択信号発生器６０１が設けられている。
【００４７】
選択信号発生器６０１は、図示のように、レジスタ６１１、転送レート検出部６１２、および比較器６１３を備えている。レジスタ６１１には、転送レートの基準値が予め保持されている。転送レート検出部６１２は、第２のストリームコントローラ１１４から出力される単位時間当たりのデータ量をカウントすることにより、セットトップボックス２０から送信される放送データの転送レート（ビットレート）を検出する。比較器６１３は、選択信号ＳＥＬを発生する回路である。
【００４８】
比較器６１３は、アンテナ端子１８にアンテナ４０１が接続されていないことが検出器１１６によって検出されたならば、外部ＴＶチューナ（セットトップボックス２０）を選択することを指示する２ｂｉｔの選択信号ＳＥＬ（０，１）を発生する。
【００４９】
一方、アンテナ端子１８にアンテナ４０１が接続されていることが検出器１１６によって検出されたならば、比較器６１３は、まず、内部ＴＶチューナ１１１および外部ＴＶチューナ（セットトップボックス２０）の双方を選択することを指示する２ｂｉｔの選択信号ＳＥＬ（１，１）を発生する。これにより、放送データの受信を指示するコマンドは、内部ＴＶチューナ１１１のみならず、セットトップボックス２０にも送られる。この後、比較器６１３は、転送レート検出部６１２によって検出されるセットトップボックス２０からの放送データの転送レートの値と、レジスタ６１１に保持されている転送レートの基準値とを比較して、検出された転送レートの値が基準値以上であるかどうかを判別する。
【００５０】
もし検出された転送レートの値が基準値以上であれば、比較器６１３は、外部ＴＶチューナ（セットトップボックス２０）を選択することを指示する２ｂｉｔの選択信号ＳＥＬ（０，１）を発生する。またもし検出された転送レートの値が基準値よりも低いならば、比較器６１３は、内部ＴＶチューナ１１１を選択することを指示する２ｂｉｔの選択信号ＳＥＬ（１，０）を発生する。
【００５１】
たとえアンテナ端子１８にアンテナ４０１が接続されていても、そのアンテナ４０１が室内アンテナである場合には、セットトップボックス２０から有線または無線のネットワーク１００を介して送信される放送データの方が内部ＴＶチューナ１１１からの放送データよりも画質が高い場合がある。また、ネットワーク１００のトラフィックの増大や、無線通信環境の悪化等によって、セットトップボックス２０からの放送データの転送レートは低下する。転送レートの低下は画質の低下を引き起こす。よって、セットトップボックス２０からの放送データの転送レートの値に応じて内部ＴＶチューナ１１１およびセットトップボックス２０の一方を選択することにより、より高画質の放送データを再生することが可能となる。
【００５２】
なお、転送レート検出部６１２および比較器６１３の機能をＴＶ再生制御プログラムに設けることにより、セットトップボックス２０からの放送データの転送レートの値に応じて内部ＴＶチューナ１１１およびセットトップボックス２０の一方を選択する動作は、図５で説明した第２の構成においても、ＴＶ再生制御プログラムの制御の下に実行することもできる。
【００５３】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５４】
【図１】本発明の一実施形態に係るコンピュータの外観を示す斜視図。
【図２】図１のコンピュータを背面から見た斜視図。
【図３】図１のコンピュータを拡張ユニットに装着した状態を示す図。
【図４】図１のコンピュータのシステム構成の第１の例を示すブロック図。
【図５】図１のコンピュータのシステム構成の第２の例を示すブロック図。
【図６】図５のコンピュータによって実行される放送データ再生制御処理の手順を示すフローチャート。
【図７】図１のコンピュータのシステム構成の第３の例を示すブロック図。
【符号の説明】
【００５５】
１０…コンピュータ、１１…コンピュータ本体、２０…セットトップボックス、１８…アンテナ端子、１００…ネットワーク、１０１…ＣＰＵ、１０４…表示コントローラ、１１１…内部ＴＶチューナ、１１３…ネットワークコントローラ、１１５…セレクタ、１１６…検出器、１１７，６０１…選択信号発生器、６１２…転送レート検出部、６１３…比較器。
【図１】
2005184645.tif 000003
【図２】
2005184645.tif 000004
【図３】
2005184645.tif 000005
【図４】
2005184645.tif 000006
【図５】
2005184645.tif 000007
【図６】
2005184645.tif 000008
【図７】
2005184645.tif 000009